(57)【要約】【課題】本発明は除湿装置に関するものであり、洗濯後の衣類の乾燥速度をさらなる向上を図ることを目的とするものである。【解決手段】除湿手段と送風手段と吸込口２と送風口３を有する本体ケース１からなり、送風手段は上部に上方へ開口した吐出口を有し、この吐出口は、板形状の第１仕切部１６によって、第１吐出口１７と第２吐出口１８とに仕切られ、第１吐出口１７の上方には風向変更手段１９を備え、第２吐出口１８の上方には傾斜面２１を有した板形状の第２仕切部２０を有し、この傾斜面２１は、風向変更手段１９より下方に位置するという構成にしたことにより、第１吐出口１７と第２吐出口１８の送風は風向変更手段１９で合流して送風口３から送風されるため、第１吐出口１７の上方領域のみで構成された風向変更手段１９のみで広範囲に送風されるため、多量の洗濯後の衣類の乾燥速度を速くすることができる。【選択図】図２
2014169804.tif 000002
【特許請求の範囲】
【請求項１】
吸込口と吹出口を有する本体ケースと、この本体ケースに設けられた除湿手段と送風手段と、この送風手段に備えた風向変更手段とからなり、前記送風手段は、スクロール形状で舌部を有するケーシング部と、このケーシング部に固定されたモータ部と、このモータ部から水平方向へ伸びたモータ回転軸に設けられた羽根部とからなり、前記ケーシング部は側面に給気口を備え、上部に上方へ開口した吐出口を有し、この吐出口は、前記モータ部の前記モータ回転軸に対して垂直な平面である板形状の第１の仕切部によって、第１の吐出口と第２の吐出口とに仕切られ、前記第１の吐出口の上方には、前記風向変更手段を備えた構成とし、前記第２の吐出口の上方には、板形状の第２の仕切部を有し、この第２の仕切部は、前記第１の仕切部から上方へ向かうにつれて前記第１の吐出口側へ傾斜する傾斜面を有し、この傾斜面は、前記風向変更手段より下方に位置することを特徴とする除湿装置。
【請求項２】
前記風向変更手段は、前記モータ回転軸に対して垂直であると共に水平方向に伸びた回転自在な風向板回転軸と、この風向板回転軸に固定された複数の略円板形状の風向板とからなり、これらの風向板は、前記風向板回転軸方向における前記ケーシング部の舌部側に設けた複数の第１の風向板と、前記風向板回転軸方向における前記ケーシング部の舌部側とは反対側に設けた複数の第２の風向板とからなり、前記第１の風向板と前記第２の風向板とを、前記風向板回転軸に対して傾斜させると共に、傾斜の向きを反対にして設けたことを特徴とする請求項１に記載の除湿装置。
【請求項３】
前記風向板が前記第１の吐出口で上方に向けて広がる回転位置において、前記第２の風向板の前記モータ回転軸の方向における前記風向板回転軸から前記第２の吐出口側の前記第２の風向板の端部までの寸法は、前記第２の風向板の前記モータ回転軸の方向における前記風向板回転軸から前記第２の吐出口と反対側の前記第２の風向板の端部までの寸法より大きいことを特徴とする請求項２に記載の除湿装置。
【請求項４】
前記第２の仕切部の前記傾斜面の下面には、前記傾斜面から前記第１の吐出口側へ突出した板形状の複数の第３の風向板を備え、これらの第３の風向板は、下方から上方へ向かうにつれて前記風向板回転軸の方向における前記ケーシング部の舌部側とは反対側に傾斜したことを特徴とする請求項１から３のいずれかに記載の除湿装置。
【発明の詳細な説明】
【技術分野】
【０００１】
本発明は、例えば衣類乾燥用として用いられる除湿装置に関するものである。
【背景技術】
【０００２】
従来、この種の除湿装置は、上部に送風口を有する本体ケースと、この本体ケース内に設けられた除湿手段および送風手段と、前記送風口に設けた風向変更手段とを備えたものであった。本体ケース内に除湿手段を設けた除湿装置は、除湿能力が高いことから、衣類の乾燥用として積極的に活用されている。
【０００３】
すなわち、室内空気を前記除湿手段で乾燥空気とし、この乾燥空気を洗濯後の衣類に向けて送風することにより、乾燥の効率化を図ろうとするもので、特に雨振り時や、冬の低温時のように洗濯物が乾きにくい時には、非常に重宝されるものである。（なお、これに関連する先行文献としては下記特許文献１がある）。
【先行技術文献】
【特許文献】
【０００４】
【特許文献１】特開２００６−１０２５７８号公報
【発明の概要】
【発明が解決しようとする課題】
【０００５】
上記従来例における課題は、洗濯後の衣類の乾燥速度をさらに向上するということであった。
【０００６】
すなわち、従来の物においては、室内の空気を送風手段によって本体ケース内に吸い込み、本体ケース内に設けられた除湿手段によって、室内の空気を除湿し、この除湿空気を、送風手段によって洗濯後の衣類に向けて送風するものである。ここで、洗濯後の衣類を乾燥させる場合には、送風空気の乾燥度、および送風される送風量と送風範囲によって乾燥速度が決まるものである。特に、多量の衣類に向けて送風される場合は、送風手段の送風範囲を拡大することが必要となるが、送風範囲を拡大するためには、大型の風向変更手段が必要となり、結果として本体サイズも大きくなるので、送風手段の送風能力を向上させることは、本体サイズの観点から限界があった。
【０００７】
その結果として、多量の衣類に送風される場合は、送風範囲を拡大することができず、結論として洗濯後の衣類の乾燥速度をさらに高くすることができないものであった。
【０００８】
そこで本発明は、多量の洗濯後の衣類の乾燥速度のさらなる向上を図ることを目的とするものである。
【課題を解決するための手段】
【０００９】
そして、この目的を達成するために、本発明は、吸込口と吹出口を有する本体ケースと、この本体ケースに設けられた除湿手段と送風手段と、この送風手段に備えた風向変更手段とからなり、前記送風手段は、スクロール形状で舌部を有するケーシング部と、このケーシング部に固定されたモータ部と、このモータ部から水平方向へ伸びたモータ回転軸に設けられた羽根部とからなり、前記ケーシング部は側面に給気口を備え、上部に上方へ開口した吐出口を有し、この吐出口は、前記モータ部の前記モータ回転軸に対して垂直な平面である板形状の第１の仕切部によって、第１の吐出口と第２の吐出口とに仕切られ、前記第１の吐出口の上方には、前記風向変更手段を備えた構成とし、前記第２の吐出口の上方には、板形状の第２の仕切部を有し、この第２の仕切部は、前記第１の仕切部から上方へ向かうにつれて前記第１の吐出口側へ傾斜する傾斜面を有し、この傾斜面は、前記風向変更手段より下方に位置することを特徴としたものであり、これにより所期の目的を達成するものである。
【発明の効果】
【００１０】
本発明によれば、吸込口と吹出口を有する本体ケースと、この本体ケースに設けられた除湿手段と送風手段と、この送風手段に備えた風向変更手段とからなり、前記送風手段は、スクロール形状で舌部を有するケーシング部と、このケーシング部に固定されたモータ部と、このモータ部から水平方向へ伸びたモータ回転軸に設けられた羽根部とからなり、前記ケーシング部は側面に給気口を備え、上部に上方へ開口した吐出口を有し、この吐出口は、前記モータ部の前記モータ回転軸に対して垂直な平面である板形状の第１の仕切部によって、第１の吐出口と第２の吐出口とに仕切られ、前記第１の吐出口の上方には、前記風向変更手段を備えた構成とし、前記第２の吐出口の上方には、板形状の第２の仕切部を有し、この第２の仕切部は、前記第１の仕切部から上方へ向かうにつれて前記第１の吐出口側へ傾斜する傾斜面を有し、この傾斜面は、前記風向変更手段より下方に位置することを特徴としたものであり、多量の洗濯後の衣類の乾燥速度のさらなる向上を図ることができるものである。
【００１１】
すなわち、第２の吐出口から吐出された送風は、第２の仕切部によって第１の吐出口の上方の風向変更手段に供給され、第１の吐出口と第２の吐出口の送風は風向変更手段で合流し、一体となって前記吹出口から送風される。結果として、第１の吐出口の上方領域のみで構成された小型の前記風向変更手段のみで、広範囲に送風することができる。
【００１２】
これにより、本体サイズを大きくすることなく、衣類に送風される送風範囲を拡大することができ、結論として多量の洗濯後の衣類の乾燥速度を速くすることができる。
【図面の簡単な説明】
【００１３】
【図１】本発明の実施の形態１の除湿装置の概略断面図
【図２】同除湿装置の送風手段の斜視断面図
【図３】同除湿装置の風向変更手段の斜視図
【図４】同除湿装置の風向拡大範囲時の送風手段の斜視断面図
【図５】同除湿装置の風向縮小範囲時の送風手段の斜視断面図
【図６】同除湿装置の風向拡大範囲時の風向変更手段を示す図（（ａ）平面図、（ｂ）正面図）
【図７】同除湿装置の風向拡大範囲時の風向変更手段を示す図（（ａ）正面断面図、（ｂ）垂直断面図）
【図８】同除湿装置の風向縮小範囲時の風向変更手段を示す図（（ａ）正面断面図、（ｂ）垂直断面図）
【図９】同除湿装置の風向拡大範囲時の風向変更手段を示す図（（ａ）正面断面図、（ｂ）斜視断面図）
【図１０】同除湿装置の風向縮小範囲時の風向変更手段を示す図（（ａ）正面断面図、（ｂ）斜視断面図）
【発明を実施するための形態】
【００１４】
以下本発明の一実施形態を添付図面を用いて説明する。
【００１５】
図１に示すように、１は縦長箱状の本体ケースで、この本体ケース１の背面側には吸込口２、上面の背面側には送風口３が設けられている。本体ケース１内には、除湿手段と送風手段とを備えている。
【００１６】
除湿手段の１例は、圧縮機４と、凝縮器５、蒸発器６を備えた冷凍サイクルと、除湿ロータ７からなるものである。
【００１７】
すなわち、上記先行文献にも類似する構成が記載されているので、ここでは説明を簡略化するが、本実施形態の除湿動作は以下のようになっている。先ず送風手段であるモータ部８により羽根部９を駆動すると、吸込口２から室内空気が本体ケース１内に吸入され、この空気の大部分は凝縮器５で加熱され、相対湿度が低くなった状態で、送風口３から室内に送風されるようになっている。
【００１８】
また、同様に送風手段であるモータ部８により羽根部９を駆動すると、本体ケース１内に吸入された空気の一部は、凝縮器５で加熱され相対湿度が低くなった状態で除湿ロータ７の放出部を通過し、この時この放出部からの放出湿度を伴って次に蒸発器６へと誘導され、この蒸発器６で冷却され、ここで湿気を結露させる。この結露水はドレインパン１０を介してタンク１１中に溜められる。
【００１９】
また、蒸発器６で結露しなかった湿気は除湿ロータ７の吸湿部で吸湿され、この吸湿部は除湿ロータ７の回転によりその後上記放出部となり、これにより捕らえた湿気を加熱空気に再放出させ、次に蒸発器６で冷却し、湿気を結露させて除去する。
【００２０】
そしてこのような除湿動作により、乾燥した空気が生成され、この乾燥空気が上述の送風口３から本体ケース１後方の室内に送風されるようになっている。
【００２１】
したがって、この送風部分に洗濯物を干しておれば、乾燥が効率的に進むものとなるのである。
【００２２】
図１から図２に示すように、送風手段の詳細な構成は、スクロール形状で舌部１２を有するケーシング部１３と、このケーシング部１３に固定されたモータ部８と、羽根部９とからなり、ケーシング部１３は側面に第１給気口１４と第２給気口１５を備えている。モータ部８から水平方向に伸びた回転軸２３に羽根部９が固定されている。第１給気口１４には、吸込口２から吸気され凝縮器で加熱された空気が供給され、第２給気口１５には、吸込口２から吸気され、凝縮器５、除湿ロータ７、蒸発器６を通った除湿された空気が供給される。ケーシング部１３は上部に上方へ開口した吐出口があり、この吐出口は、板形状の第１仕切部１６によって、第１吐出口１７と第２吐出口１８とに仕切られている。風路の流れとしては、羽根部９を介して第１給気口１４から第１吐出口１７へと流れ、第２給気口１５から第２吐出口１８へと流れる構成となっている。
【００２３】
本実施の形態における特徴点は、第１吐出口１７の上方に風向変更手段１９を設け、第２吐出口１８の上方には、風向変更手段１９より下方に第１仕切部１６から上方へ向かうにつれて第１吐出口１７側へ傾斜する傾斜面２１を有する板形状の第２仕切部２０を設けた点である。
【００２４】
すなわち、第２吐出口１８から吐出された送風は、第２仕切部２０によって、風向変更手段１９に供給され、第１吐出口１７と第２吐出口１８の送風は風向変更手段１９で合流し、一体となって風向変更手段１９を介して送風口３から本体外へと送風される。結果として、第１吐出口１７の上方領域のみで構成された小型の風向変更手段１９のみで、広範囲に送風することができる。
【００２５】
これにより、本体サイズを大きくすることなく、衣類に送風される送風範囲を広げることができ、結論として多量の洗濯後の衣類の乾燥速度を速くすることができる。
【００２６】
また、図３から図５に示すように、風向変更手段１９は、モータ部８の回転軸２３に対して垂直に水平方向に伸びた回転自在な風向板回転軸１９ａと、この風向板回転軸１９ａに固定された複数の略円板形状の風向板からなり、風向板回転軸１９ａと連結される風向変更モータ部１９ｂにより構成されている。この風向板は、ケーシング部１３の舌部１２側の２枚の第１風向板１９ｃと舌部１２とは逆の３枚の第２風向板１９ｄとからなり、第１風向板１９ｃと第２風向板１９ｄとを、風向板回転軸１９ａに対して傾斜させると共に、傾斜の向きを反対にして設けたことを特徴とする。
【００２７】
すなわち、図４から図５に示すように、風向変更手段１９は、風向変更モータ部１９ｂが回転することにより風向範囲を拡大範囲または縮小範囲に変更することが可能となる。
【００２８】
これにより、使用者の衣類の量により、衣類に送風される送風範囲を調整することができ、結論として、洗濯後の衣類量に応じて、使用者が乾燥効率を最適化することができる。
【００２９】
また、図６に示すように、風向変更手段１９が風向拡大範囲時において、第２風向板１９ｄの風向板回転軸１９ａ方向における風向板回転軸１９ａから第２吐出口１８側の第２風向板１９ｄの端部までの寸法は、第２風向板１９ｄの風向板回転軸１９ａ方向における風向板回転軸１９ａから第２吐出口１８と反対側の第２風向板１９ｄの端部までの寸法より大きいことを特徴とする。
【００３０】
すなわち、図７から図８に示すように、風向変更手段１９の第２風向板１９ｄは、風向拡大範囲時では、第２仕切部２０と近接する構成となる。一方、風向縮小範囲時では、風向拡大範囲時より、風向変更手段１９の第２風向板１９ｄは、第２仕切部２０と離れる構成となる。風向変更手段１９の第２風向板１９ｄエリアにおいて、風向拡大範囲時では、羽根部９からケーシング部１３の形状に沿い舌部１２側に傾いた第２仕切部２０から出た風向を、強制的に舌部１２と逆方向の拡大方向に変更することができ、風向縮小範囲時では、羽根部９からケーシング部１３の形状に沿い舌部１２側に傾いた第２仕切部２０から出た風向を、余計な圧損を加えることなく変更しないことができる。
【００３１】
これにより、必要最低限の圧損のみで風向変更手段１９を備えることができ、衣類に送風される送風範囲を変更しながら、送風量の低下を抑えることができるため、結論として、使用者が乾燥効率を最適化することができながら、洗濯後の衣類の乾燥速度の低下を防ぐことができる。
【００３２】
また、図９から１０に示すように、第２仕切部２０の傾斜面２１の下面には、傾斜面２１から第１吐出口１７側へ突出した板形状の３枚の第３風向板２２を備え、これらの第３風向板２２の上方部分は、第２風向板１９ｄの風向の拡大範囲および縮小範囲の両方において近接する位置に配置され、下方から上方へ向かうにつれて風向板回転軸１９ａ方向におけるケーシング部１３の舌部１２側とは反対側に傾斜したことを特徴とする。
【００３３】
すなわち、図７から図１０に示すように、風向の拡大範囲時および縮小範囲時のどちらにおいても、羽根部９からケーシング部１３の形状に沿い舌部１２側に傾いた第２仕切部２０から出た風向を、均等に分割して第２風向板１９ｄに沿わすことができる。
【００３４】
これにより、風向変更手段１９に供給される第２仕切部からの送風が均等化されるため、風向変更手段１９を介し送風口３から送風される送風を送風範囲内でムラなく均等化して送風できることにより、洗濯後の衣類の乾きムラを低減することで、結論として洗濯後の衣類の乾燥速度をさらに速くすることができる。
【産業上の利用可能性】
【００３５】
本発明によれば、吸込口と吹出口を有する本体ケースと、この本体ケースに設けられた除湿手段と送風手段と、この送風手段に備えた風向変更手段とからなり、前記送風手段は、スクロール形状で舌部を有するケーシング部と、このケーシング部に固定されたモータ部と、このモータ部から水平方向へ伸びたモータ回転軸に設けられた羽根部とからなり、前記ケーシング部は側面に給気口を備え、上部に上方へ開口した吐出口を有し、この吐出口は、前記モータ部の前記モータ回転軸に対して垂直な平面である板形状の第１の仕切部によって、第１の吐出口と第２の吐出口とに仕切られ、前記第１の吐出口の上方には、前記風向変更手段を備えた構成とし、前記第２の吐出口の上方には、板形状の第２の仕切部を有し、この第２の仕切部は、前記第１の仕切部から上方へ向かうにつれて前記第１の吐出口側へ傾斜する傾斜面を有し、この傾斜面は、前記風向変更手段より下方に位置することを特徴としたものであり、多量の洗濯後の衣類の乾燥速度のさらなる向上を図ることができるものである。
【００３６】
すなわち、第２の吐出口から吐出された送風は、第２の仕切部によって第１の吐出口の上方の風向変更手段に供給され、第１の吐出口と第２の吐出口の送風は風向変更手段で合流し、一体となって前記吹出口から送風される。結果として、第１の吐出口の上方領域のみで構成された小型の前記風向変更手段のみで、広範囲に送風することができる。
【００３７】
これにより、本体サイズを大きくすることなく、小型の風向変更手段のみで広範囲に送風することができるので、多量の洗濯後の衣類の乾燥速度を速くすることを可能とするものであるので、衣類乾燥用に使用される除湿装置等として有用である。
【符号の説明】
【００３８】
１    本体ケース
２    吸込口
３    送風口
４    圧縮機
５    凝縮器
６    蒸発器
７    除湿ロータ
８    モータ部
９    羽根部
１０    ドレインパン
１１    タンク
１２    舌部
１３    ケーシング部
１４    第１給気口
１５    第２給気口
１６    第１仕切部
１７    第１吐出口
１８    第２吐出口
１９    風向変更手段
１９ａ  風向板回転軸
１９ｂ  風向変更モータ部
１９ｃ  第１風向板
１９ｄ  第２風向板
２０    第２仕切部
２１    傾斜面
２２    第３風向板
２３    回転軸
【図１】
2014169804.tif 000003
【図２】
2014169804.tif 000004
【図３】
2014169804.tif 000005
【図４】
2014169804.tif 000006
【図５】
2014169804.tif 000007
【図６】
2014169804.tif 000008
【図７】
2014169804.tif 000009
【図８】
2014169804.tif 000010
【図９】
2014169804.tif 000011
【図１０】
2014169804.tif 000012